(57)【要約】【課題】引違い窓用の既設枠の内周側に、新設枠を可及的に近接させて取り付けることができる改装サッシの施工方法を提供すること。【解決手段】建物の開口部２に残存する引違い窓用の既設上枠１１０に、複数の突出片１１３ａ、１１３ｂが、既設上枠１１０の屋内側に配置されるアングル部材１１２よりも下側に突出し、既設上枠１１０の内周側を覆うように、ベース材１３０と、ベース材１３０の内周側に新設上枠１２０とを取り付ける改装サッシ１の施工方法であって、既設上枠１１０の複数の突出片１１３ａ、１１３ｂを、アングル部材１１２よりも上側に配置されるように切断した後、既設上枠１１０の内周側にベース材１３０を取り付けると共に、ベース材１３０に新設上枠１２０を取り付ける。【選択図】図５
2019157373.tif 000002
【特許請求の範囲】
【請求項１】
建物の開口部に残存する引違い窓用の既設上枠に、複数の突出片が、前記既設上枠の屋内側に配置されるアングル部材よりも下側に突出し、前記既設上枠の内周側を覆うように、ベース材と、前記ベース材の内周側に新設上枠とを取り付ける改装サッシの施工方法であって、
前記既設上枠の前記複数の突出片を、前記アングル部材よりも下側に突出しないように切断した後、前記既設上枠の内周側に前記ベース材を取り付けると共に、前記ベース材に前記新設上枠を取り付ける、改装サッシの施工方法。
【請求項２】
前記既設上枠は、前記複数の突出片よりも屋外側に、下方に向けて突出する垂下片を有し、
前記ベース材を、前記垂下片に取り付ける、請求項１に記載の改装サッシの施工方法。
【請求項３】
前記垂下片を、前記アングル部材よりも下側に突出しないように切断した後、前記ベース材を、切断後の前記垂下片に取り付ける、請求項２に記載の改装サッシの施工方法。
【発明の詳細な説明】
【技術分野】
【０００１】
本発明は、建物に設けられている既設の引違い窓を新たな窓に改装する改装サッシの施工方法に関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【０００３】
また、改装サッシとして、既設枠と新設枠との間に、新設枠の取付け面となるベース材を設けたものも知られている（例えば、特許文献２参照）。
【先行技術文献】
【特許文献】
【０００４】
【特許文献１】特開２０１６−９４７７１号公報
【特許文献２】特開２０１７−１７２３１５号公報
【発明の概要】
【発明が解決しようとする課題】
【０００５】
改装サッシは、既設枠の内周側に新設枠が取り付けられることにより構成されるため、窓の開口寸法は、どうしても既設窓の開口寸法よりも小さくなってしまう。このため、改装サッシは、新設枠を可及的に既設枠に近接させて取り付けるようにすることが要望されている。
【０００６】
しかしながら、既設枠が引違い窓用の枠体である場合、既設上枠と既設下枠とに、障子を移動させるガイドレールとして使用されていた複数の突出片が残存している。このうち、既設上枠に残存する突出片は、既設上枠の屋内側に配置されるアングル部材よりも下方に向けて大きく突出しているため、新設上枠及びベース材は、この突出片よりも更に下方に配置されなくてはならない。このため、引違い窓用の既設枠を改装する場合、新設上枠を既設上枠に近接させて取り付けることが困難であり、窓開口寸法を大きくとることができない問題があった。
【０００７】
そこで、本発明は、引違い窓用の既設枠の内周側に、新設枠を可及的に近接させて取り付けることができ、窓開口寸法を大きくとることができる改装サッシの施工方法を提供することを目的とする。
【課題を解決するための手段】
【０００８】
（１）  本発明に係る改装サッシの施工方法は、建物の開口部（例えば、後述の開口部２）に残存する引違い窓用の既設上枠（例えば、後述の既設上枠１１０）に、複数の突出片（例えば、後述の突出片１１３ａ、１１３ｂ）が、前記既設上枠の屋内側に配置されるアングル部材（例えば、後述のアングル部材１１２）よりも下側に突出し、前記既設上枠の内周側を覆うように、ベース部材（例えば、後述の上枠ベース材１３０）と、前記ベース材の内周側に新設上枠（例えば、後述の新設上枠１２０）とを取り付ける改装サッシ（例えば、後述の改装サッシ１）の施工方法であって、前記既設上枠の前記複数の突出片を、前記アングル部材よりも下側に突出しないように切断した後、前記既設上枠の内周側に前記ベース材を取り付けると共に、前記ベース材に前記新設上枠を取り付ける。
【０００９】
（２）  （１）に記載の改装サッシの施工方法において、前記既設上枠は、前記複数の突出片よりも屋外側に、下方に向けて突出する垂下片（例えば、後述の垂下片１１１）を有し、前記ベース材を、前記垂下片に取り付けることが好ましい。
【００１０】
（３）  （２）に記載の改装サッシの施工方法において、前記垂下片を、前記アングル部材よりも下側に突出しないように切断した後、前記ベース材を、切断後の前記垂下片に取り付けることが好ましい。
【発明の効果】
【００１１】
本発明によれば、引違い窓用の既設枠の内周側に、新設枠を可及的に近接させて取り付けることができる改装サッシの施工方法を提供することができる。
【図面の簡単な説明】
【００１２】
【図１】本発明の一実施形態に係る改装サッシの正面図である。
【図２】図１に示す改装サッシの縦断面図である。
【図３】図１に示す改装サッシの横断面図である。
【図４】図２に示す改装サッシの上側の要部を拡大して示す縦断面図である。
【図５】図２に示す改装サッシの下側の要部を拡大して示す縦断面図である。
【図６】図２に示す改装サッシの左側の要部を拡大して示す横断面図である。
【図７】図２に示す改装サッシの右側の要部を拡大して示す横断面図である。
【図８】改装サッシの既設枠の内周側にベース材が取り付けられた様子を示す斜視図である。
【図９】上枠ベース材の斜視図である。
【図１０】上枠ベース材を裏面側から見た部分斜視図である。
【図１１】取付け部材を屋内側から見た正面図である。
【図１２】取付け部材の縦断面図である。
【図１３】下枠ベース材の斜視図である。
【図１４】高さ調整機構を正面から見た断面図である。
【図１５】高さ調整機構を側面から見た断面図である。
【図１６】縦枠ベース材の裏面側を屋外側から見た斜視図である。
【発明を実施するための形態】
【００１３】
以下、本発明の一実施形態について、図面を参照して詳しく説明する。
図１は、本発明の一実施形態に係る改装サッシの正面図であり、図２は、図１に示す改装サッシの縦断面図であり、図３は、図１に示す改装サッシの横断面図である。図４は、図２に示す改装サッシの上側の要部を拡大して示す縦断面図であり、図５は、図２に示す改装サッシの下側の要部を拡大して示す縦断面図であり、図６は、図２に示す改装サッシの左側の要部を拡大して示す横断面図であり、図７は、図２に示す改装サッシの右側の要部を拡大して示す横断面図である。また、図８は、改装サッシの既設枠の内周側にベース材が取り付けられた様子を示す斜視図である。
【００１４】
図１に示すように、改装サッシ１は、建物の開口部２の屋外側に装着され、上枠１００と、下枠２００と、左右一対の縦枠３００、４００により矩形に枠組みされた窓枠１０と、窓枠１０に開閉可能に納められる障子２０と、障子２０の屋内側の窓枠１０にスライド可能に納められる網戸３０と、を備える。開口部２の内周側には、四周に亘って額縁部材３が設けられている。図１は、改装サッシ１を屋外側から見た様子を示している。
【００１５】
図２、図３に示すように、本実施形態に示す新設の障子２０は、四周に亘る框２１内に、屋内側及び屋外側の２枚のガラス２２、２２と、これらのガラス２２、２２で挟持されたスペーサ２３と、を備える複数ガラスからなるすべり出しタイプの障子であり、優れた断熱性を有する。障子２０は、屋内側に取り付けられたレバー２４の操作によって回動し、屋外側に向けて開放され、屋内側に向けて閉じられるように構成される。
【００１６】
網戸３０は、窓枠１０の四周に設けられる溝部１１内に納められている。図３に示すように、網戸３０は、左右方向に折り畳み可能な網部３１を有し、網部３１が折り畳まれた状態で、一方の縦枠３００側に収納されている。この網戸３０は、網部３１の端部に取り付けられた縦枠部３２を縦枠４００側に向けてスライドさせることにより障子２０の屋内側に展張され、縦枠部３２を縦枠３００側に向けてスライドさせることにより折り畳まれるように構成される。図３は、網戸３０を縦枠３００側に折り畳んだ状態を示し、網戸３０を展張させた状態を一点鎖線で示している。
【００１７】
次に、窓枠１０について説明する。
＜Ａ．上枠＞
先ず、上枠１００について説明する。図２、図４に示すように、上枠１００は、既設上枠１１０と、新設上枠１２０と、上枠ベース材１３０と、を含んで構成される。
【００１８】
ａ１．既設上枠
既設上枠１１０は、金属製の枠体からなる引違い窓用の枠体であり、建物の開口部２の上側部の屋外側に取り付けられている。図４に示すように、既設上枠１１０の見込み壁部１１０Ａは、見込み方向（屋内外方向）に亘って略平坦に形成されている。この見込み壁部１１０Ａは、額縁部材３の内周面３ａよりも上方に位置している。
【００１９】
既設上枠１１０の見込み壁部１１０Ａの屋外側の端部に、下方に向かって延びる垂下片１１１が一体に形成されている。垂下片１１１は、改装前の既設上枠１１０に元々設けられていた網戸用レールの下端側が、改装に際して切断されることによって形成されたレール残部である。
【００２０】
また、既設上枠１１０は、屋内側の端部に、屋内側に向けて張り出すように延びるアングル部材１１２を一体に有する。アングル部材１１２は、見込み壁部１１０Ａよりも下方に配置されており、額縁部材３の内周面３ａの屋外側の端部に固定されている。元々の網戸用レールは、アングル部材１１２の位置よりも下側に突出するように設けられるが、垂下片１１１の下端部は、このアングル部材１１２の位置よりも下側に突出していない。本実施形態では、垂下片１１１の下端部は、アングル部材１１２（額縁部材３の内周面３ａ）とほぼ同位置となるように配置されているが、アングル部材１１２よりも上方に配置されてもよい。
【００２１】
既設上枠１１０の見込み壁部１１０Ａには、下方に向けて突出する一対の平行な突出片１１３ａ、１１３ｂを有する。突出片１１３ａ、１１３ｂは、改装前の既設上枠１１０に元々設けられていた引違い障子用レールの下端側が、改装に際して切断されることによって形成されたレール残部である。図４において、切断前の突出片１１３ａ、１１３ｂの下端部が、破線で示されている。元々の引違い障子用レールは、アングル部材１１２の位置よりも下側に突出するように設けられるが、突出片１１３ａ、１１３ｂの下端部は、アングル部材１１２の位置よりも下側に突出していない。本実施形態では、突出片１１３ａ、１１３ｂの下端部は、アングル部材１１２（額縁部材３の内周面３ａ）とほぼ同位置となるように配置されているが、アングル部材１１２よりも上方に配置されてもよい。
【００２２】
ａ２．新設上枠
新設上枠１２０は、上枠ベース材１３０を間に挟んで、既設上枠１１０の内周側に取り付けられる。新設上枠１２０は、主として金属製の枠体からなり、屋外側に、障子２０よりも更に屋外側に張り出した張出部１２１を有する。張出部１２１は、屋外側に向けて僅かに下り傾斜し、その先端部に上方に向けて立ち上がる屋外側壁部１２２を有する。屋外側壁部１２２は、既設上枠１１０の垂下片１１１と対向するように略平行に延び、その垂下片１１１の全体を屋外側から覆い隠すように配置されている。
【００２３】
屋外側壁部１２２には、屋内側に向けて突出する複数のリブ１２２ａ〜１２２ｃを有する。リブ１２２ａは、屋外側壁部１２２の上端部に配置されている。リブ１２２ｂ、１２２ｃは、リブ１２２ａよりも下方に配置され、後述する上枠ベース材１３０の屋外側壁部１３２に当接するように突出している。これらのリブ１２２ａ〜１２２ｃは、新設上枠１２０の全長に亘って平行に延びている。
【００２４】
新設上枠１２０は、屋内側の端部に、屋内側に向けて張り出すように延びる樹脂製のアングル部材１２３を有する。アングル部材１２３は、網戸３０が納められる溝部１１と一体に形成され、額縁部材３の内周面３ａから間隔をおいて配置されている。このアングル部材１２３と額縁部材３の内周面３ａとの間に樹脂製のアングルカバー１２４が取り付けられている。アングルカバー１２４と額縁部材３の内周面３ａとの境目は、樹脂製のＬ型の見切り材１２５によって遮蔽されている。見切り材１２５は、額縁部材３の内周面３ａに取付けねじ１２５ａによって固定されている。
【００２５】
新設上枠１２０は、上枠ベース材１３０との間にスペーサ部材１４０を介して、上枠ベース材１３０を貫通する複数の取付けねじ１２６ａ、１２６ｂによって固定される。取付けねじ１２６ａ、１２６ｂは、新設上枠１２０から上枠ベース材１３０を貫通している。
【００２６】
ａ３．上枠ベース材
上枠ベース材１３０は、既設上枠１１０と新設上枠１２０との間に配置される。図８に示すように、上枠ベース材１３０は、既設上枠１１０の内周側に１つだけ取り付けられ、既設上枠１１０の長さ方向の略全長に亘って延びている。上枠ベース材１３０は、新設上枠１２０の長さ方向の全長と同じか、又は、新設上枠１２０の長さ方向の全長よりも長く形成される。
【００２７】
上枠ベース材１３０の詳細を図９に示す。図９は上枠ベース材１３０の斜視図である。上枠ベース材１３０は金属製であり、ベース材本体１３１と、屋外側壁部１３２と、複数の突出部１３３ａ〜１３３ｄと、を一体に有する。
【００２８】
ベース材本体１３１は、上枠１００の延び方向に沿って延びる長尺な板状部材からなり、既設上枠１１０の内周側を長さ方向の略全長に亘り、且つ屋内外方向に亘って覆うことにより、新設上枠１２０のための略平坦な取付け面を形成する。ベース材本体１３１の屋内側の端部は、既設上枠１１０のアングル部材１１２を覆うように、額縁部材３の内周面３ａ上に配置されている。
【００２９】
屋外側壁部１３２は、ベース材本体１３１の屋外側の端部から上方に向けて延びている。屋外側壁部１３２は、既設上枠１１０の垂下片１１１と略平行に延び、新設上枠１２０の屋外側壁部１２２と既設上枠１１０の垂下片１１１との間において、既設上枠１１０の垂下片１１１を覆い隠すように配置されている。屋外側壁部１３２は、新設上枠１２０の屋外側壁部１２２に設けられたリブ１２２ｂ、１２２ｃと当接するように配置されるが、屋外側壁部１３２の上端部１３２ａは、リブ１２２ａよりも下方に配置されている。
【００３０】
突出部１３３ａ〜１３３ｄは、ベース材本体１３１の裏面（既設上枠１１０側の面）に、ベース材本体１３１の長さ方向に沿って延びるように突設されている。図４に示すように、突出部１３３ａ〜１３３ｄのうちの屋内側の２つの突出部１３３ａ、１３３ｂは、額縁部材３の内周面３ａに対向して配置されている。ベース材本体１３１の屋内側の端部は、既設上枠１１０のアングル部材１１２に対して、突出部１３３ａ、１３３ｂの間にねじ込まれた取付けねじ１３４によって固定されている。このとき、２つの突出部１３３ａ、１３３ｂは、額縁部材３の内周面３ａとベース材本体１３１との間の距離を一定に保持可能となっている。
【００３１】
最も屋内側の突出部１３３ａは、ベース材本体１３１の最も屋内側の端部に配置されている。この突出部１３３ａの屋内側の側面は、上枠ベース材１３０の屋内側面１３０ａを形成している。図４に示すように、この屋内側面１３０ａは、新設上枠１２０のアングルカバー１２４を除く屋内側面１２０ａと同一面上に配置されている。アングルカバー１２４は、上枠ベース材１３０の屋内側面１３０ａと新設上枠１２０の屋内側面１２０ａとに亘って、これら屋内側面１２０ａ、１３０ａを覆うように装着されている。
【００３２】
また、突出部１３３ａ〜１３３ｄは、既設上枠１１０の垂下片１１１と上枠ベース材１３０の屋外側壁部１３２との間から雨水が浸入してきた場合に、その雨水を堰き止め、それ以上屋内側に浸入することを防止する機能をも有している。特に、最も屋外側の突出部１３３ｄは、屋外側から浸入する雨水を最初に堰き止める第１堰として機能する。
【００３３】
ａ４．上枠ベース材の取り付け構造
図４に示すように、上枠ベース材１３０の屋外側は、固定部材４０によって、既設上枠１１０の垂下片１１１に固定されている。この固定部材４０の詳細について、更に図１０〜図１２を参照して説明する。図１０は、上枠ベース材１３０を裏面側から見た部分斜視図であり、図１１は、固定部材４０を屋内側から見た正面図であり、図１２は、固定部材４０の縦断面図である。なお、図１０では、構成の理解を容易にするため、既設上枠１１０の図示を省略した。
【００３４】
固定部材４０は、ベース材本体１３１の裏面に取り付けられる基部４１と、既設上枠１１０の垂下片１１１に取り付けられる取付け片４２と、基部４１に回転可能に保持される皿ねじからなる高さ調整ねじ４３と、を備える。この固定部材４０は、上枠ベース材１３０の長さに応じて、１又は複数設けられる。
【００３５】
基部４１は、平板状の金属板からなり、表面（既設上枠１１０側の面）に一対の支持板部４１ａ、４１ａが立設されている。各支持板部４１ａ、４１ａは、屋内外方向に沿って平行に配置され、上枠ベース材１３０の長さ方向に所定の間隔をおいて立設されている。一対の支持板部４１ａ、４１ａの間隔は、後述する取付け片４２の長さ（上枠ベース材１３０の長さ方向に沿う長さ）と同程度に設定されている。
【００３６】
ベース材本体１３１には、図９に示すように、屋内外方向に沿って延びる複数のねじ挿入用の長穴１３６が形成されている。長穴１３６は、最も屋外側の突出部１３３ｄよりも屋外側に配置されている。図９は、２つの固定部材４０が取り付けられる上枠ベース材１３０を示しており、１組の固定部材４０に対して２つずつの長穴１３６が設けられている。基部４１は、この長穴１３６を貫通する取付けねじ４４により、ベース材本体１３１に固定される。長穴１３６は屋内外方向に長いため、基部４１の屋内外方向の固定位置を微調整することができる。
【００３７】
取付け片４２は、ベース材本体１３１と略平行に延びる金属板からなる。取付け片４２の上面（既設上枠１１０側の面）には、一対の挟持片４２ａ、４２ａが立設されている。挟持片４２ａ、４２ａは、上枠ベース材１３０の長さ方向に沿って延びている。挟持片４２ａ、４２ａは、図１２に示すように、既設上枠１１０の垂下片１１１の下方側から、垂下片１１１を間に挟むように収容している。取付け片４２は、挟持片４２ａ、４２ａの間に挟まれる垂下片１１１の下方から屋内側に向けて張り出すように延び、基部４１上の一対の支持板部４１ａ、４１ａの間に挟まれるように配置されている。
【００３８】
一対の挟持片４２ａ、４２ａの間に、垂下片１１１を挟んだ状態で、下方側から取付け片４２を貫通する取付けねじ４５がねじ込まれている。ここで、挟持片４２ａ、４２ａの間隔は、垂下片１１１の厚みと取付けねじ４５のねじ山部分の外径とを足した寸法よりも僅かに狭く設定されている。従って、挟持片４２ａ、４２ａの間の垂下片１１１は、一方の挟持片４２ａ（本実施形態では屋外側の挟持片４２ａ）と取付けねじ４５との間で挟持される。このとき、取付けねじ４５のねじ山は、垂下片１１１と挟持片４２ａとにそれぞれ食い込むので、取付けねじ４５が容易に抜け落ちることはなく、取付け片４２を垂下片１１１にしっかりと固定することができる。
【００３９】
図１２に示すように、屋外側の挟持片４２ａと垂下片１１１との間には、両面テープ４６が介在され、挟持片４２ａと垂下片１１１とを接着している。両面テープ４６は、挟持片４２ａと垂下片１１１との相対的な動きを制限し、取付けねじ４５の回転に連動して取付け片４２が横方向にスライドしてしまうことを防止する。これにより、取付け片４２を垂下片１１１に固定する際の作業性が向上する。
【００４０】
高さ調整ねじ４３は、取付け片４２を基部４１に対して高さ調整可能に固定する。具体的には、一対の支持板部４１ａ、４１ａの間の基部４１の表面に、高さ調整ねじ４３の頭部４３ａを保持するための一対の保持爪部４１ｂ、４１ｂが設けられている。保持爪部４１ｂ、４１ｂは、高さ調整ねじ４３の頭部４３ａを回転可能に保持する。高さ調整ねじ４３は、保持爪部４１ｂ、４１ｂによって頭部４３ａが回転可能に保持された状態で、一対の挟持片４２ａ、４２ａよりも屋内側の取付け片４２に対して螺合することにより、取付け片４２を基部４１に固定する。これにより、上枠ベース材１３０の屋外側の端部が既設上枠１１０に対して固定される。
【００４１】
保持爪部４１ｂ、４１ｂの間には、高さ調整ねじ４３の頭部４３ａの外径よりも小径な操作穴４１ｃが形成されている。高さ調整ねじ４３の頭部４３ａの上面（ドライバー溝を有する面）は、操作穴４１ｃ内に臨んでいる。また、図９〜図１１に示すように、上枠ベース材１３０のベース材本体１３１には、隣り合う長穴１３６の間に、操作穴４１ｃよりも大きな穴部１３７を有する。操作穴４１ｃは、このベース材本体１３１の穴部１３７内に配置されている。このため、ベース材本体１３１の下方側から穴部１３７を通して、操作穴４１ｃ内に臨む高さ調整ねじ４３の頭部４３ａをドライバー等によって回転操作することができるようになっている。
【００４２】
高さ調整ねじ４３と螺合する取付け片４２は、一対の支持板部４１ａ、４１ａの間に挟まれることにより回転不能であるため、高さ調整ねじ４３が回転すると、取付け片４２は支持板部４１ａ、４１ａに挟まれた状態で、高さ調整ねじ４３の軸線方向に沿って上下方向に移動する。これにより、上枠ベース材１３０の屋外側の高さ調整が可能となり、上枠ベース材１３０の水平度を容易に微調整することができる。
【００４３】
ａ５．改装サッシの施工方法
改装サッシ１の上枠１００の施工に際しては、先ず、既設上枠１１０の見込み壁部１１０Ａから下方に向けて突出する既設の網戸用レール及び引違い障子用レールの下端側を、
アングル部材１１２の位置よりも下側に突出しないように切断し、垂下片１１１及び突出片１１３ａ、１１３ｂを形成する。次いで、既設上枠１１０の内周側に、上枠ベース材１３０を取り付ける。上枠ベース材１３０の屋外側は、固定部材４０によって、垂下片１１１に対して取り付けられ、屋内側は、取付けねじ１３４によって、額縁部材３に対して取り付けられる。その後、上枠ベース材１３０の内周側に新設上枠１２０を装着し、新設上枠１２０を、上枠ベース材１３０に対して、取付けねじ１２６ａ、１２６ｂによって取り付ける。
【００４４】
このようにして施工される改装サッシ１は、既設上枠１１０の見込み壁部１１０Ａから下方に突出する網戸用レール、引違い障子用レールの下端側が、アングル部材１１２よりも下側に突出しないように切断されているため、上枠ベース材１３０を可及的に既設上枠１１０に近接させて取り付けることができる。このため、上枠ベース材１３０に取り付けられる新設上枠１２０も、既設枠１１０の内周側に可及的に近接させて取り付けることができる。その結果、引違い窓の改装において、窓開口部寸法の大きい改装サッシ１を構築することができる。
【００４５】
ａ６．上枠の止水構造
図４に示すように、上枠ベース材１３０の屋内側の２つの突出部１３３ａ、１３３ｂと額縁部材３の内周面３ａ（既設上枠１１０のアングル部材１１２の表面）との間には、止水テープ１５０が介在されている。止水テープ１５０は、既設上枠１１０の突出部１１３を被覆すると共に、新設上枠１２０の見切り材１２５の近傍に亘って貼着されている。
【００４６】
また、新設上枠１２０の屋内側面１２０ａと上枠ベース材１３０の屋内側面１３０ａとに亘って、止水テープ１５１が貼着されている。止水テープ１５１は、上枠ベース材１３０の屋内側面１３０ａから、止水テープ１５０の額縁部材３の内周面３ａに貼着される部位に重なるように延びている。本実施形態では、上枠ベース材１３０の屋内側面１３０ａと新設上枠１２０の屋内側面１２０ａとは同一面上に配置されている。これにより、止水テープ１５１を平面的に貼着することができるため、貼着作業性が良いと共に、貼着状態も良好となり、止水機能を向上させることができる。なお、本実施形態では、スペーサ部材１４０の屋内側面１４０ａも、屋内側面１２０ａ、１３０ａと同一面上に配置されているが、スペーサ部材１４０の屋内側面１４０ａの位置は特に限定されない。
【００４７】
更に、図４、図１０に示すように、既設上枠１１０と新設上枠１２０と間には、発泡ゴム等からなる複数の止水材１６０〜１６２が介在されている。これら止水材１６０〜１６２は、新設上枠１２０の長さ方向に沿って長尺に延びている。
【００４８】
止水材１６０は、既設上枠１１０の垂下片１１１と新設上枠１２０の屋外側壁部１２２との間に挟着されていると共に、上枠ベース材１３０の屋外側壁部１３２の上端部１３２ａに当接している。また、止水材１６１は、新設上枠１２０の屋外側壁部１２２と上枠ベース材１３０の屋外側壁部１３２との間で挟持されている。更に、止水材１６２は、ベース材本体１３１に形成される長穴１３６及び穴部１３７よりも屋内側、且つ取付けねじ１２６ｂよりも屋外側に配置され、新設上枠１２０とベース材本体１３１との間で挟持されている。
【００４９】
＜Ｂ．下枠＞
次に、下枠２００について説明する。図２、図５に示すように、下枠２００は、既設下枠２１０と、新設下枠２２０と、下枠ベース材２３０と、を含んで構成される。
【００５０】
ｂ１．既設下枠
既設下枠２１０は、建物の開口部２の下側部の屋外側に取り付けられている。図５に示すように、既設下枠２１０の見込み壁部２１０Ａは、屋内側から屋外側に向けて下る階段状となっている。見込み壁部２１０Ａの屋内側の段部２１０ａは、額縁部材３の内周面３ａよりも下方に位置している。
【００５１】
見込み壁部２１０Ａの屋内側の段部２１０ａは、額縁部材３の内周面３ａと同程度の高さで上方に向けて突出する突出片２１１ａを有し、見込み壁部２１０Ａの屋外側の段部２１０ｂは、屋内側の段部２１０ａよりもやや低く上方に向けて突出する突出片２１１ｂを有する。これら突出片２１１ａ、２１１ｂは、既設下枠２１０に元々設けられていた引違い障子用レールがそのまま残されたものであり、既設上枠１１０の突出片１１３ａ、１１３ｂに対応して配置されている。
【００５２】
見込み壁部２１０Ａの屋外側の端部に、建物躯体よりも屋外側に張り出した張出部２１２を有する。更に、この張出部２１２の屋外側の端部には、上方に向けて突出する突出片２１３が一体に形成されている。この突出片２１３は、既設下枠２１０に元々設けられていた網戸用レールがそのまま残されたものであり、既設上枠１１０の垂下片１１１に対応して配置されている。また、既設下枠２１０は、屋内側の端部に、屋内側に向けて張り出すように延びるアングル部材２１４を一体に有する。アングル部材２１４は、額縁部材３の内周面３ａの屋外側の端部に固定されている。
【００５３】
ｂ２．新設下枠
新設下枠２２０は、下枠ベース材２３０を間に挟んで、既設下枠２１０の内周側に取り付けられる。新設下枠２２０は、主として金属製の枠体からなり、屋外側の端部に、下方に向けて延びる屋外側壁部２２１を有する。屋外側壁部２２１は、既設下枠２１０の突出片２１３と略平行に延び、その突出片２１３の全体を覆い隠すように配置されている。
【００５４】
新設下枠２２０は、屋内側の端部に、屋内側に向けて張り出すように延びる樹脂製のアングル部材２２２を有する。アングル部材２２２は、網戸３０が納められる溝部１１と一体に形成され、額縁部材３の内周面３ａから間隔をおいて配置されている。このアングル部材２２２と額縁部材３の内周面３ａとの間に樹脂製のアングルカバー２２３が取り付けられている。アングルカバー２２３と額縁部材３の内周面３ａとの境目は、樹脂製のＬ型の見切り材２２４によって遮蔽されている。見切り材２２４は、額縁部材３の内周面３ａに取付けねじ２２４ａによって固定されている。
【００５５】
新設下枠２２０は、下枠ベース材２３０を貫通する取付けねじ２２５によって固定される。この取付けねじ２２５は、下枠ベース材２３０を貫通するが、既設下枠２１０を貫通していない。取付けねじ２２５は、既設下枠２１０の突出片２１１よりも屋内側に配置される。
【００５６】
ｂ３．下枠ベース材
下枠ベース材２３０は、既設下枠２１０と新設下枠２２０との間に配置される。図８に示すように、下枠ベース材２３０は、既設下枠２１０の長さ方向に沿って間隔をおいて複数設けられる。
【００５７】
下枠ベース材２３０の詳細を図１３に示す。図１３は下枠ベース材２３０の斜視図である。下枠ベース材２３０は金属製であり、ベース材本体２３１と、屋外側壁部２３２と、突出段部２３３と、連結部２３４と、複数の突出脚部２３５ａ〜２３５ｃと、を一体に有する。
【００５８】
ベース材本体２３１は、下枠２００の延び方向に沿う長さに対して十分に短尺な板状部材からなり、既設下枠２１０の内周側を屋内外方向に亘って覆うことにより、新設下枠２２０のための略平坦な取付け面を形成する。ベース材本体２３１の屋内側の端部は、既設下枠２１０のアングル部材２１４を覆うように、額縁部材３の内周面３ａ上に配置されている。
【００５９】
屋外側壁部２３２は、ベース材本体２３１の屋外側の端部から下方に向けて延びている。屋外側壁部２３２は、既設下枠２１０の突出片２１３と略平行に延び、新設下枠２２０の屋外側壁部２２１と既設下枠２１０の突出片２１３との間において、新設下枠２２０の屋外側壁部２２１と同程度の長さで配置されている。
【００６０】
突出段部２３３は、ベース材本体２３１と屋外側壁部２３２との接続部位に配置され、屋外側壁部２３２よりも屋外側に向けて部分的に屈曲して張り出すように、ベース材本体２３１から屋外側壁部２３２にかけて一体に形成されている。
【００６１】
図５に示すように、新設下枠２２０の屋外側壁部２２１は、屋外側から突出段部２３３に当接している。このため、新設下枠２２０の屋外側壁部２２１は、下枠ベース材２３０の屋外側壁部２３２よりも、突出段部２３３の突出分だけ屋外側に位置している。この突出段部２３３の屋外側への突出分は、図４に示すように、新設上枠１２０の屋外側壁部１２２が、新設上枠１２０の屋外側壁部１２２に設けられたリブ１２２ｂ、１２２ｃ、上枠ベース材１３０の屋外側壁部１３２、及び、取付け部材４０における取付け片４２の挟持片４２ａの存在によって、屋外側へ張り出すように配置される分に相当する。このため、新設下枠２２０の屋外側壁部２２１を突出段部２３３に当接させることで、新設上枠１２０の屋外側壁部１２２と新設下枠２２０の屋外側壁部２２１とを同一面に揃えることができる。
【００６２】
なお、新設下枠２２０の屋外側壁部２２１は、後述する新設縦枠３２０、４２０の第１屋外側壁部３２１ａ、４２１ａに対しても同一面となるように揃えられている。これにより、改装サッシ１の見付け面（屋外側壁部１２２、２２１、３２１ａ、４２１ａの表面）は、四周に亘って同一面に揃えられるため、改装サッシ１の屋外側からの見栄えが良好となっている。
【００６３】
連結部２３４は、ベース材本体２３１において屋外側に配置される屋外側上面部２３１Ａと、屋内側に配置される屋内側上面部２３１Ｂとを連結する部位であり、ベース材本体２３１において、新設下枠２２０の取付けねじ２２５よりも屋内側の位置に、ベース材本体２３１の長さ方向に沿って設けられる。
【００６４】
屋外側上面部２３１Ａと屋内側上面部２３１Ｂは、下枠ベース材２３０の上面を構成する。屋外側上面部２３１Ａと屋内側上面部２３１Ｂとは、連結部２３４を境にして、上枠１００側に向けた高さが異なっている。即ち、ベース材本体２３１は、連結部２３４を境にして、屋内側上面部２３１Ｂの方が屋外側上面部２３１Ａに比べて上枠１００側に向けて高くなっており、下枠ベース材２３０の上面は、連結部２３４において段差形状となっている。このため、屋外側から新設下枠２２０と下枠ベース材２３０との間に雨水浸入しても、連結部２３４よりも屋内側に浸入することはない。従って、この下枠ベース材２３０によれば、浸入した雨水をベース材本体２３１の屋外側上面部２３１Ａ内に堰き止めることができ、屋内側上面部２３１Ｂへの雨水の浸入を防止することができる。
【００６５】
本実施形態の連結部２３４は、屋内側上面部２３１Ｂから屋外側上面部２３１Ａに向けて下り傾斜する傾斜面で構成されるが、連結部２３４は傾斜面に限定されず、略垂直な壁面であってもよい。
【００６６】
突出脚部２３５ａ〜２３５ｃは、ベース材本体２３１の裏面（既設下枠２１０側の面）において、屋内側上面部２３１Ｂに突設され、ベース材本体２３１の長さ方向に沿って平行に延びている。突出脚部２３５ａ〜２３５ｃの突出高さは、連結部２３４を境にしたベース材本体２３１の屋外側上面部２３１Ａと屋内側上面部２３１Ｂとの高さの差分よりも僅かに低い程度とされる。
【００６７】
図５に示すように、突出脚部２３５ａ〜２３５ｃは、額縁部材３の内周面３ａに対向して配置されている。ベース材本体２３１は、既設下枠２１０のアングル部材２１４に対して、突出脚部２３５ｂ、２３５ｃの間で取付けねじ２３６によって固定されている。このとき、突出脚部２３５ａ〜２３５ｃは、額縁部材３の内周面３ａとベース材本体２３１との間の距離を一定に保持可能である。
【００６８】
最も屋内側の突出脚部２３５ａは、ベース材本体２３１の屋内側の端部に配置されている。この突出脚部２３５ａの屋内側の側面は、下枠ベース材２３０の屋内側面２３０ａを形成する。図５に示すように、この屋内側面２３０ａは、新設下枠２２０のアングルカバー２２３を除く屋内側面２２０ａと同一面上に配置されている。アングルカバー２２３は、下枠ベース材２３０の屋内側面２３０ａと新設下枠２２０の屋内側面２２０ａとに亘って、これら屋内側面２２０ａ、２３０ａを覆うように装着されている。
【００６９】
ｂ４．下枠ベース材の取り付け構造
図２、図５に示すように、下枠ベース材２３０の屋外側は、高さ調整機構５０を介して、既設下枠２１０の張出部２１２上に取り付けられている。この高さ調整機構５０の詳細について、更に図１４、図１５を参照して説明する。図１４は、高さ調整機構５０を正面から見た断面図であり、図１５は、高さ調整機構５０を側面から見た断面図である。
【００７０】
高さ調整機構５０は、ベース材本体２３１の裏面に取り付けられる支持部材５１と、支持部材５１に回転可能に保持される皿ねじからなる高さ調整ねじ５２と、高さ調整ねじ５２に螺合する調整部材５３と、を備える。
【００７１】
支持部材５１は、ベース材本体２３１の裏面に当接する当接部５１ａと、当接部５１ａの屋内側及び屋外側の両端部から下方に向けて垂下する一対の側壁部５１ｂ、５１ｂと、を有する。当接部５１ａ及び側壁部５１ｂ、５１ｂは、既設下枠２１０の長さ方向に沿って延びている。
【００７２】
側壁部５１ｂ、５１ｂの間には、高さ調整ねじ５２が収容されている。具体的には、側壁部５１ｂ、５１ｂの内面に、高さ調整ねじ５２の頭部５２ａの断面形状に沿う保持段部５１ｃ、５１ｃがそれぞれ形成されている。高さ調整ねじ５２の頭部５２ａは、支持部材５１の側方から当接部５１ａと一対の保持段部５１ｃ、５１ｃとの間に挿入されることにより、当接部５１ａと保持段部５１ｃ、５１ｃとの間に回転可能に保持されている。
【００７３】
図１３に示すように、下枠ベース材２３０のベース材本体２３１には、屋内外方向に沿って延びる２つのねじ挿入用の長穴２３７が形成されている。図１４に示すように、支持部材５１は、この長穴２３７をそれぞれ貫通する２つの取付けねじ５４により、ベース材本体２３１に固定される。長穴２３７は屋内外方向に長いため、高さ調整機構５０（支持部材５１）の屋内外方向の位置を微調整することができる。これにより、既設下枠２１０に突設される突出片２１１の位置を容易に避けることができる。従って、突出片２１１の位置に関わらず、ベース材本体２３１に高さ調整機構５０を取り付けることができるため、高さ調整機構５０と突出片２１１とが干渉することなく、既設下枠２１０に下枠ベース材２３０を容易に取り付けることが可能である。
【００７４】
当接部５１ａには、高さ調整ねじ５２の頭部５２ａの外径よりも小径な貫通穴５１ｄが形成されている。高さ調整ねじ５２の頭部５２ａの上面（ドライバー溝を有する面）は、貫通穴５１ｄ内に臨んでいる。また、図１３〜図１５に示すように、下枠ベース材２３０のベース材本体２３１には、隣り合う長穴２３７の間に、長穴２３７と同様に形成された長穴２３８を有する。貫通穴５１ｄは、この長穴２３８の内側に臨むように配置されている。
【００７５】
調整部材５３は、高さ調整ねじ５２に螺合する螺合部５３ａと、螺合部５３ａから高さ調整ねじ５２を挟んで下方に向けて延びる一対のＬ型の脚部５３ｂ、５３ｂと、を有する。脚部５３ｂ、５３ｂは、既設下枠２１０の張出部２１２上に載置される。調整部材５３の屋内外方向の厚みは、支持部材５１の一対の側壁部５１ｂ、５２ｂの間隔とほぼ同じである。このため、図１５に示すように、螺合部５３ａを高さ調整ねじ５２に螺合させた状態の調整部材５３は、一対の側壁部５１ｂ、５１ｂと面接触して屋内外方向から支持される。
【００７６】
高さ調整機構５０は、下枠ベース材２３０の上方側から長穴２３８を通して、貫通穴５１ｄ内に臨む高さ調整ねじ５２の頭部５２ａがドライバー等によって回転操作されることによって、高さ調整される。調整部材５３は、一対の側壁部５１ｂ、５１ｂの間に挟まれて回転不能であるため、高さ調整ねじ５２の頭部５２ａが回転操作されると、調整部材５３は側壁部５１ｂ、５１ｂの間を高さ調整ねじ５２の軸線方向に沿って上下方向に移動する。これにより、下枠ベース材２３０の屋外側の高さが調整されるので、下枠ベース材２３０の水平度を容易に微調整することができる。
【００７７】
このとき、高さ調整機構５０の調整部材５３は、下り傾斜する張出部２１２上に載置されるが、屋内側及び屋外側からそれぞれ側壁部５１ｂ、５１ｂが当接することによって支持されているため、ベース材本体２３１に対して傾くおそれはない。このため、高さ調整機構５０は、下枠ベース材２３０の屋外側を高さ調整可能に安定して支持することができ、下枠ベース材２３０を適切に高さ調整することができる。
【００７８】
また、調整部材５３の一対の脚部５３ｂ、５３ｂはＬ型に形成され、既設下枠２１０のの長さ方向（図１４の左右方向）に沿って相反する左右方向に張り出す形状を有するため、既設下枠２１０の張出部２１２に対する接触面積を大きく確保することができる。このため、高さ調整機構５０は、下枠ベース材２３０に掛かる荷重を安定して受け止めることができる。
【００７９】
ｂ５．下枠の止水構造
図５に示すように、下枠ベース材２３０の突出脚部２３５ａ〜２３５ｃと額縁部材３の内周面３ａ（既設下枠２１０のアングル部材２１４の表面）との間には、止水テープ２４０が介在されている。止水テープ２４０は、突出脚部２３５ａ〜２３５ｃと額縁部材３の内周面３ａとの間において、新設下枠２２０の見切り材２２４の近傍に亘って貼着されている。
【００８０】
また、新設下枠２２０の屋内側面２２０ａと下枠ベース材２３０の屋内側面２３０ａとに亘って、止水テープ２４１が貼着されている。止水テープ２４１は、下枠ベース材２３０の屋内側面２３０ａから、止水テープ２４０の額縁部材３の内周面３ａに貼着される部位に亘って延びている。本実施形態では、下枠ベース材２３０の屋内側面２３０ａと新設下枠２２０の屋内側面２２０ａとは同一面上に配置されている。これにより、止水テープ２４１を平面的に貼着することができるため、貼着作業性が良いと共に、貼着状態も良好となり、止水機能を向上させることができる。
【００８１】
＜Ｃ．縦枠＞
次に、縦枠３００、４００について説明する。図３、図６、図７に示すように、縦枠３００、４００は、既設縦枠３１０、４１０と、新設縦枠３２０、４２０と、縦枠ベース材３３０、４３０と、を含んで構成される。
【００８２】
ｃ１．既設縦枠
既設縦枠３１０、４１０は、建物の開口部２の屋外側の左右縦側部にそれぞれ取り付けられている。既設縦枠３１０、４１０は、屋外側の端部に、左右の外側方に向けて延びる屋外側壁部３１１、４１１を有し、屋内側の端部に、屋内側に向けて張り出すように延びるアングル部材３１２、４１２を一体に有する。アングル部材３１２、４１２は、額縁部材３の内周面３ａの屋外側の端部に固定されている。
【００８３】
既設縦枠３１０、４１０の見込み壁部３１０Ａ、４１０Ａは、見込み方向（屋内外方向）に亘って略平坦に形成されている。見込み壁部３１０Ａ、４１０Ａは、左右の額縁部材３の内周面３ａよりも、それぞれ外側に配置されている。
【００８４】
既設縦枠３１０、４１０は、見込み壁部３１０Ａ、４１０Ａから開口部２の内側（図３の中央側、図６の右側、図７の左側）に向けて突出する突出片３１３ａ〜３１３ｃ、４１３ａ〜４１３ｃを有する。突出片３１３ａ〜３１３ｃ、４１３ａ〜４１３ｃは、既設縦枠３１０、４１０の長さ方向に沿って平行に延びている。
【００８５】
ｃ２．新設縦枠
新設縦枠３２０、４２０は、縦枠ベース材３３０、４３０を間に挟んで、既設縦枠３１０、４１０の内周側に取り付けられる。新設縦枠３２０、４２０は、主として金属製の枠体からなり、屋外側の端部に、左右の外側方に向けて延びる第１屋外側壁部３２１ａ、４２１ａを一体に有し、更に第１屋外側壁部３２１ａ、４２１ａの端部に、屋内側に向けて延びる第２屋外側壁部３２１ｂ、４２１ｂを一体に有する。
【００８６】
第１屋外側壁部３２１ａ、４２１ａは、既設縦枠３１０、４１０の屋外側壁部３１１、４１１と略平行に延び、その屋外側壁部３１１、４１１の全体を覆い隠すように配置されている。また、第２屋外側壁部３２１ｂ、４２１ｂは、既設縦枠３１０、４１０の屋外側壁部３１１、４１１を、左右の外側方から覆い隠すように配置されている。
【００８７】
新設縦枠３２０、４２０は、屋内側の端部に、屋内側に向けて張り出すように延びる樹脂製のアングル部材３２２、４２２を有する。アングル部材３２２、４２２は、網戸３０が納められる溝部１１と一体に形成され、額縁部材３の内周面３ａから間隔をおいて配置されている。このアングル部材３２２、４２２と額縁部材３の内周面３ａとの間に樹脂製のアングルカバー３２３、４２３が取り付けられている。アングルカバー３２３、４２３と額縁部材３の内周面３ａとの境目は、樹脂製のＬ型の見切り材３２４、４２４によって遮蔽されている。見切り材３２４、４２４は、額縁部材３の内周面３ａに取付けねじ３２４ａ、４２４ａによって固定されている。
【００８８】
新設縦枠３２０、４２０は、縦枠ベース材３３０、４３０との間にスペーサ部材３２５、４２５を介して、取付けねじ３２６ａ、３２６ｂ、４２６ａ、４２６ｂによって固定される。取付けねじ３２６ａ、４２６ａは、縦枠ベース材３３０、４３０の中央部を貫通し、既設縦枠３１０、４１０にねじ込まれている。また、取付けねじ３２６ｂ、４２６ｂは、溝部１１の底部から縦枠ベース材３３０、４３０の屋内側の端部付近を貫通すると共に、既設縦枠３１０、４１０のアングル部材３１２、４１２を貫通し、額縁部材３にねじ込まれている。
【００８９】
ｃ３．縦枠ベース材
縦枠ベース材３３０、４３０は、既設縦枠３１０、４１０と新設縦枠３２０、４２０との間に配置される。図８に示すように、縦枠ベース材３３０、４３０は、既設縦枠３１０、４１０の長さ方向に沿って間隔をおいて複数設けられる。縦枠ベース材３３０と縦枠ベース材４３０とは同一構成である。
【００９０】
縦枠ベース材３３０、４３０の詳細を図１６に示す。図１６は、縦枠ベース材３３０、４３０の裏面側を屋外側から見た斜視図である。縦枠ベース材３３０、４３０は、金属製であり、ベース材本体３３１、４３１と、屋外側壁部３３２、４３２と、突出脚部３３３、４３３と、を一体に有する。
【００９１】
ベース材本体３３１、４３１は、既設縦枠３１０、４１０の長さ方向の長さに対して十分に短尺な板状部材からなり、既設縦枠３１０、４１０の内周側を屋内外方向に亘って覆うことにより、新設縦枠３２０、４２０のための略平坦な取付け面を形成する。
【００９２】
図８に示すように、縦枠ベース材３３０、４３０は、既設縦枠３１０、４１０の長さ方向に沿って間隔をおいて複数設けられる。ベース材本体３３１、４３１の屋内側の端部は、既設縦枠３１０、４１０のアングル部材３１２、４１２を覆うように額縁部材３の内周面３ａ上に配置されている。
【００９３】
図６、図７に示すように、屋外側壁部３３２、４３２は、ベース材本体３３１、４３１の屋外側の端部から外側方に向けて延びている。屋外側壁部３３２、４３２は、既設縦枠３１０、４１０の屋外側壁部３１１、４１１と略平行に延び、新設縦枠３２０、４２０の第１屋外側壁部３２１ａ、４２１ａと既設縦枠３１０、４１０の屋外側壁部３１１、４１１との間において、屋外側壁部３１１、４１１に当接して配置されている。
【００９４】
突出脚部３３３、４３３は、ベース材本体３３１、４３１の屋内側の端部に一体に形成されている。突出脚部３３３、４３３は、額縁部材３の内周面３ａに対向して配置されており、ベース材本体３３１、４３１の裏面（既設縦枠３１０、４１０の側の面）から額縁部材３の内周面３ａに向けて突出している。突出脚部３３３、４３３の突出高さは、既設縦枠３１０、４１０に残存する突出片３１３、４１３が額縁部材３の内周面３ａに対して突出する高さと同じか、それよりもやや大きい程度とされる。
【００９５】
ｃ４．縦枠ベース材の取り付け構造
縦枠ベース材３３０、４３０は、図１６に示すように、ベース材本体３３１の裏面の一対の取付け部材３３４、４３４によって既設縦枠３１０、４１０に取り付けられる。この取付け部材３３４、４３４は、縦枠ベース材３３０、４３０の長さ方向に沿って延びる帯状に形成されたステーからなり、ベース材本体３３１、４３１に形成された屋内外方向に長い長穴３３５、４３５、３３６、４３６に取付けねじ３３７、４３７によって取り付けられている。取付け部材３３４、４３４は、長穴３３５、４３５、３３６、４３６を利用して取り付けられるため、取付け部材３３４、４３４の屋内外方向の取付け位置を微調整することができる。これにより、既設縦枠３１０、４１０に突設される突出片３１３ａ〜３１３ｃ、４１３ａ〜４１３ｃの位置を容易に避けることができる。従って、突出片３１３ａ〜３１３ｃ、４１３ａ〜４１３ｃの位置に関わらず、ベース材本体３３１、４３１に取付け部材３３４、４３４を取り付けることができるため、取付け部材３３４、４３４と突出片３１３ａ〜３１３ｃ、４１３ａ〜４１３ｃとが干渉することなく、既設縦枠３１０、４１０に縦枠ベース材３３０、４３０を容易に取り付けることが可能である。
【００９６】
各取付け部材３３４、４３４は、取付けねじ３３７、４３７との固定部位よりも両端側に、それぞれ既設縦枠３１０、４１０側に向けて屈曲する屈曲部３３４ｂ、４３４ｂを有する。これにより、取付け部材３３４、４３４の両端部３３４ａ、４３４ａは、ベース材本体３３１、４３１よりも既設縦枠３１０、４１０側に向けて突出する。取付け部材３３４、４３４は、両端部３３４ａ、４３４ａにおいて、それぞれ取付けねじ３３８、４３８によって突出片３１３、４１３を避けた既設縦枠３１０、４１０の内周面３１０ａ、４１０ａに固定されている。これにより、縦枠ベース材３３０、４３０は、既設縦枠３１０、４１０の内周側に取り付けられる。
【００９７】
突出脚部３３３、４３３は、縦枠ベース材３３０、４３０の最も屋内側の端部に配置されている。この突出脚部３３３、４３３の屋内側の側面は、縦枠ベース材３３０、４３０の屋内側面３３０ａ、４３０ａを形成している。図６、図７に示すように、この屋内側面３３０ａ、４３０ａは、新設縦枠３２０、４２０のアングルカバー３２３、４２３を除く屋内側面３２０ａ、４２０ａと同一面上に配置されている。アングルカバー３２３、４２３は、縦枠ベース材３３０、４３０の屋内側面３３０ａ、４３０ａと新設縦枠３２０、４２０の屋内側面３２０ａ、４２０ａとに亘って、これら屋内側面３２０ａ、３３０ａ、４２０ａ、４３０ａを覆うように装着されている。
【００９８】
ｃ５．縦枠の止水構造
図６、図７に示すように、縦枠ベース材３３０、４３０の突出脚部３３３、４３３と額縁部材３の内周面３ａ（既設縦枠３１０、４１０のアングル部材３１２、４１２の表面）との間には、止水テープ３４０、４４０が介在されている。止水テープ３４０、４４０は、既設縦枠３１０、４１０の突出片３１３、４１３から見切り材３２４、４２４の近傍に亘って貼着されている。
【００９９】
また、新設縦枠３２０、４２０の屋内側面３２０ａ、４２０ａと縦枠ベース材３３０、４３０の屋内側面３３０ａ、４３０ａとに亘って、止水テープ３４１、４４１が貼着されている。止水テープ３４１、４４１は、縦枠ベース材３３０、４３０の屋内側面３３０ａ、４３０ａから、止水テープ３４０、４４０の額縁部材３の内周面３ａに貼着される部位に亘って延びている。本実施形態では、縦枠ベース材３３０、４３０の屋内側面３３０ａ、４３０ａと新設縦枠３２０、４２０の屋内側面３２０ａ、４２０ａとは同一面上に配置されている。これにより、止水テープ３４１、４４１を平面的に貼着することができるため、貼着作業性が良いと共に、貼着状態も良好となり、止水機能を向上させることができる。なお、本実施形態では、スペーサ部材３２５、４２５の屋内側面３２５ａ、４２５ａも、屋内側面３２０ａ、４２０ａ、３３０ａ、４３０ａと同一面上に配置されているが、スペーサ部材３２５、４２５の屋内側面３２５ａ、４２５ａの位置は特に限定されない。
【０１００】
更に、既設縦枠３１０、４１０と新設縦枠３２０、４２０との間には、発泡ゴム等からなる止水材３５０、４５０が介在されている。止水材３５０、４５０は、既設縦枠３１０、４１０の屋外側壁部３１１、４１１と新設縦枠３２０、４２０の第１屋外側壁部３２１ａ、４２１ａとの間に挟持され、新設縦枠３２０、４２０の長さ方向に沿って長尺に延びている。
【０１０１】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【符号の説明】
【０１０２】
１  改装サッシ
２  開口部
１１０  既設上枠
１１１  垂下片
１１２  アングル部材
１１３ａ、１１３ｂ  突出片
１２０  新設上枠
１３０  上枠ベース材
【図１】
2019157373.tif 000003
【図２】
2019157373.tif 000004
【図３】
2019157373.tif 000005
【図４】
2019157373.tif 000006
【図５】
2019157373.tif 000007
【図６】
2019157373.tif 000008
【図７】
2019157373.tif 000009
【図８】
2019157373.tif 000010
【図９】
2019157373.tif 000011
【図１０】
2019157373.tif 000012
【図１１】
2019157373.tif 000013
【図１２】
2019157373.tif 000014
【図１３】
2019157373.tif 000015
【図１４】
2019157373.tif 000016
【図１５】
2019157373.tif 000017
【図１６】
2019157373.tif 000018